(57)【要約】【課題】個人の体格差、趣味嗜好に合わせて調整できるようにして、快適性を向上させた布団装置を提供する。【解決手段】上層部材４内に、ベーシック部材２と中間部材３とを、一体的に収容する。前記ベーシック部材２は、硬綿系中芯材で波板形状に形成し、表地８に、中間部材３を保持するための保持帯７を設ける。前記中間部材３は、種々の異なる固さの素材で構成した複数の分割部材３ａ〜３ｆを備え、使用状況に応じて、適宜交換して前記ベーシック部材２の保持帯７により配置保持するようにする。かかる分割部材３ａ〜３ｆは、網状袋体９により覆うようにし、この網状袋体９に、素材の硬さを表示したタグ１０を縫着する。上層部材４は、詰物としてウレタンフォーム材をニット地で覆って構成する。また前記上層部材４の両側面には、シーツ１１を止め着ける係着手段１２を設ける。【選択図】              図１
2004242797.tif 000002
【特許請求の範囲】
【請求項１】
反動抑制機能のベーシック部材と、このベーシック部材上に配置する、クッション調整性を有する中間部材と、前記ベーシック部材と中間部材とを一体的に被せ配置する通気性の上層部材とを備えたことを特徴とする布団装置。
【請求項２】
前記中間部材をベーシック部材の下に配置させて、前記上層部材を中間部材とベーシック部材とに一体的に被せるようにしたことを特徴とする請求項１記載の布団装置。
【請求項３】
前記ベーシック部材は、合成樹脂製繊維を波形形状に成形して構成することで、床部起伏式ベッドの床部に載置可能としたことを特徴とする請求項１または２記載の布団装置。
【請求項４】
前記中間部材は、複数の分割部材で構成し、これら分割部材は、異なる固さの素材で構成して適宜交換可能に配置するようにしたことを特徴とする請求項１または２記載の布団装置。
【請求項５】
前記ベーシック部材に、前記中間部材を構成する複数の分割部材を着脱可能に保持する保持帯を備えたことを特徴とする請求項１ないし３記載のうち、いずれか１記載の布団装置。
【請求項６】
前記中間部材に、多数の通気孔を配したことを特徴とする請求項１、２、４、５記載のうち、いずれか１記載の布団装置。
【請求項７】
前記上層部材に凹凸加工を施したことを特徴とする請求項１または２記載の布団装置。
【請求項８】
前記上層部材に、多数の通気孔を配したことを特徴とする請求項１、２、７記載のうち、いずれか１記載の布団装置。
【請求項９】
前記中間部材における分割部材を、それぞれ網状袋体で覆う構成とし、ボトム幅方向端面に対応する箇所に素材の硬さを表示するタグを設けたことを特徴とする請求項４記載の布団装置。
【請求項１０】
前記上層部材にシーツの係着手段を設けたことを特徴とする請求項１、２、７、８記載のうちいずれか１記載の布団装置。
【請求項１１】
前記上層部材に、上層部材内に前記ベーシック部材と中間部材とを収容保持する裏当て部材を装着したことを特徴とする請求項１、２、７、８、１０記載のうち、いずれか１記載の布団装置。
【請求項１２】
前記上層部材と前記ベーシック部材または中間部材とを係着する係着手段を設けたことを特徴とする請求項１、２、１１記載のうちいずれか１記載の布団装置。
【発明の詳細な説明】
【０００１】
【発明の属する技術分野】
本発明は、個人の体格差、趣味嗜好に合わせて調整できるようにして、快適性を向上させた、布団装置に関するものである。
【０００２】
【従来の技術】
従来、ベッド上のマットレスには、健常者から、床ずれ予防、治療を要する患者に至るまで、使用者等に合うように様々な素材で構成して硬さを設定したものがある。
以前、本出願人は、褥瘡対策を施したマットレスとして例えば特開平１１−１３７６１３号を提案している。この場合のマットレスでは、二層構造としており、通常使用対応の、比較的硬質素材で構成した第１マットレス（図示省略）と、床ずれ対策を施した例えば軟質な低反発ウレタンを用いた第２マットレス（図示省略）とを積層すると共に、これら第１マットレスと第２マットレスとを、表地に一体収容する構成としている。
前記マットレスによれば、床ずれ予防、治療を要する患者のみならず、健常者用のマットレスとしても使うことができるものとなっている。
【０００３】
ここで良質な眠りをもたらすための要因として、マットレスとしては
Ａ．人が乗ったときや、寝返りにより発生する反動を抑制可能であること、
Ｂ．人の新陳代謝により発生する熱と水分を、寝返り等の体動により、クッション材自体が呼吸するように拡縮変形することで放散させ、衣服内湿度を適度に保つものであること、
Ｃ．個人の体格差、趣味嗜好に合わせてクッション性を調整できるものであること、
を具備することが望ましいことが判明している。
【０００４】
【発明が解決しようとする課題】
そのためには、体圧分散と適正な身体のサポート、通気性、マットレスの制震性、血流阻害の低減、耐久構造等、各要素を同時に満足し、個人の体格差、趣味嗜好に合わせて調整できるようにすることで快適性を向上させ、併せて上述のようなベッド上のマットレスとしてではなく、和室などの畳上で敷いて使用する布団装置として提案するに至ったのである。
本発明はこのような背景により、快適な睡眠をもたらすことのできる、布団装置を提供することを目的とする。
【０００５】
【課題を解決するための手段】
前記した課題を解決するために、本発明では、請求項１において、反動抑制機能のベーシック部材と、このベーシック部材上に配置する、クッション調整性を有する中間部材と、前記ベーシック部材と中間部材とを一体的に被せ配置する通気性の上層部材とを備えた布団装置を提案する。
また本発明では、請求項２において、前記中間部材をベーシック部材の下に配置させて、前記上層部材を中間部材とベーシック部材とに一体的に被せるようにした布団装置を提案する。
また本発明では、請求項３において、前記ベーシック部材は、合成樹脂製繊維を波形形状に成形して構成することで、床部起伏式ベッドの床部に載置可能とした布団装置を提案する。
また本発明では、請求項４において、前記中間部材は、複数の分割部材で構成し、これら分割部材は、異なる固さの素材で構成して適宜交換可能に配置するようにした布団装置を提案する。
また本発明では、請求項５において、前記ベーシック部材に、前記中間部材を構成する複数の分割部材を着脱可能に保持する保持帯を備えた布団装置を提案する。
また本発明では、請求項６において、前記中間部材に、多数の通気孔を配した布団装置を提案する。
また本発明では、請求項７において、前記上層部材に凹凸加工を施した布団装置を提案する。
また本発明では、請求項８において、前記上層部材に、多数の通気孔を配した布団装置を提案する。
また本発明では、請求項９において、前記中間部材における分割部材を、それぞれ網状袋体で覆う構成とし、ボトム幅方向端面に対応する箇所に素材の硬さを表示するタグを設けた布団装置を提案する。
また本発明では、請求項１０において、前記上層部材にシーツの係着手段を設けた布団装置を提案する。
また本発明では、請求項１１において、前記上層部材に、上層部材内に前記ベーシック部材と中間部材とを収容保持する裏当て部材を装着した布団装置を提案する。
さらに本発明では、請求項１２において、前記上層部材と前記ベーシック部材または中間部材とを係着する係着手段を設けた布団装置を提案する。
【０００６】
請求項１、２によれば、ベーシック部材によって、人が上層部材に乗った際や、寝返りの際の反動を抑え、中間部材によってクッション性を調整し、上層部材によって通気性を阻害されず、快適な眠りがもたらされる。
【０００７】
請求項３によれば、ベーシック部材を、合成樹脂製繊維を波形形状に成形して構成したことにより、柔軟性を有し、使用者の動きに起因する振動を吸収し、また、曲げ応力、せん段応力を吸収するので、ずれ力の発生を抑えることができ、さらには、床部起伏式ベッドに載置しても床部の変形に十分に追従することができる。
【０００８】
請求項４によれば、中間部材における分割部材を、異なる固さの素材のものを適宜交換配置することで、硬さを使用者の好みに合わせたものに調整することができる。
【０００９】
請求項５によれば、ベーシック部材に、クッション性を調整するべく選定した分割部材を、それぞれ保持帯により、分割部材の反発性を利用して抜け落ちないように保持することができる。
【００１０】
請求項６によれば、中間部材を構成する素材に多数の通気孔を形成したことにより、通気性を確保することができる。
【００１１】
請求項７によれば、上層部材に凹凸加工を施したことにより、反力を抑制して使用者の血流阻害を抑制することができる。
【００１２】
請求項８によれば、上層部材を構成する素材に多数の通気孔を形成したことにより、一層、通気性を確保することができる。
【００１３】
請求項９によれば、中間部材の分割部材は、素材の硬さを表示するタグによって、選択する際の便を図ることができる。
【００１４】
請求項１０によれば、上層部材にシーツを取り付けやすく、ベッドメーキングが容易となる。
【００１５】
請求項１１によれば、上層部材とベーシック部材および中間部材とは、ばらばらになるようなことはなく、反動抑制、通気性を損なうことはなく、さらには好みのクッション性で使用することができる。
【００１６】
請求項１２によれば、人の重みで変形しても、上層部材とベーシック部材および中間部材とは、ばらばらになるようなことはなく、反動抑制、通気性を損なうことはなく、さらには好みのクッション性で使用することができる。
【００１７】
【発明の実施の態様】
次に、本発明にかかる布団装置について、一つの実施の態様を示し、添付の図面に基づいて以下説明する。
図１、図２、図３に布団装置１を示す。この布団装置１は、上層部材４内に、ベーシック部材２と中間部材３とを収容すると共に、上層部材４底面を裏当て部材５によってファスナ６により、一体的に閉止して構成している。
【００１８】
前記ベーシック部材２は、硬綿系中芯材で構成したもので、この硬綿系中芯材は、例えば弾力性を有する巻縮ステープルより構成したランダムウェブ（図示省略）にニードル加工を施して、このランダムウェブを平板状に加工すると共に波板形状に形成し、加熱処理をして成形保持すると共に、この熱処理したウェブを、伸縮性の布部材を介して、長手方向に縫製加工を施したものである。
前記巻縮ステープルは、例えば、ポリエステル、ポリエチレン、ポリプロピレン繊維やこれらの複合繊維によって構成することができる。
かかるベーシック部材２には、素材の通気性のよい表地（後述）で覆うようにしている。この表地には、マットレス長手両側面近傍に沿って中間部材３を保持するための保持帯７を設けている。
【００１９】
前記中間部材３は、複数の分割部材３ａ，３ｂ，３ｃ，３ｄ，３ｅ，３ｆで構成し、これら分割部材３ａ〜３ｆは、それぞれ種々の異なる固さの素材で構成したものを備えており、使用状況に応じて、適宜交換して前記ベーシック部材２を包む表地８の保持帯７により配置保持するようにしている（図４参照）。
かかる分割部材３ａ〜３ｆの素材には、多数の通気孔（図示省略）を形成し、それぞれ表地として網状袋体９により覆うようにしており、通気性を確保している（図５参照）。またこの網状袋体９のボトム幅方向端面に対応する箇所には、素材の硬さを表示したタグ１０を縫着することができる。
前記分割部材３ａ〜３ｆを保持するための保持帯７は、前記ベーシック部材２を包む表地８の長手両側面近傍に沿ってループ状に縫着した、帯状の布部材で構成している。かかるループ状の保持帯７にそれぞれ分割部材３ａ〜３ｆの両端部近傍を差し入れて、前記分割部材３ａ〜３ｆの拡縮変形力によって、簡単には抜けないように保持する構成である。
なお、前記ベーシック部材２と中間部材３とは、逆に配置するようにしてもよい。
【００２０】
そして前記上層部材４は、詰物として例えば多数の通気孔を有するウレタンフォーム材をニット地で覆って構成している。ニット地としては、特に吸汗性、速乾性に優れ、皮膚に対する刺激が小さく、静電気の発生を抑制すると共に、帯電しにくい特性のものが好適である。
また前記上層部材４の両側面には、シーツ１１を止め着ける係着手段１２を設けることができる。係着手段１２としては、スナップファスナや、あるいは面ファスナが好適である。
なお、前記詰物としてのウレタンフォーム材表面には、凹凸加工（プロファイル加工）を施すこともできる。
もちろん、前記ウレタンフォーム材は単に平坦な板体としてもよい。
また、上層部材４と、前記ベーシック部材２または中間部材３とは、適宜な係着手段（図示省略）によって連結することができる。
【００２１】
以上のような布団装置１において、上層部材４内に、ベーシック部材２と共に中間部材３を収容する際、前記中間部材３を構成する分割部材３ａ〜３ｆを、ベーシック部材２を包む表地８の保持帯７により保持するようにする。
この際、それぞれ種々の異なる固さの素材で構成した分割部材３ａ〜３ｆの中から、使用状況に応じて選択し、ループ状の保持帯７にそれぞれ分割部材３ａ〜３ｆの両端部近傍を差し入れて、前記分割部材３ａ〜３ｆの拡縮変形力によって、簡単には抜けないように保持することができる（図４参照）。分割部材３ａ〜３ｆを選択する際には、分割部材３ａ〜３ｆを包む網状袋体９のボトム幅方向端面に対応する箇所のタグ１０によって、素材の硬さを確認することができる。
上層部材４内に、ベーシック部材２と共に中間部材３を収容したら、上層部材４底面を裏当て部材５によってファスナ６により、一体的に閉止する。
【００２２】
そして、畳上に敷いて、上層部材４の両側面の係着手段１２によりシーツ１１を止め着け、使用に当たり、上層部材４上に人が乗って変形しても、上層部材４がベーシック部材２および中間部材３から離れてばらばらになるようなことはなく、これら上層部材４、ベーシック部材２および中間部材３とが一体となって作用し、人が乗ったときや、寝返りにより発生する反動を抑制したり、人の新陳代謝により発生する熱と水分を、寝返り等の体動により、クッション材自体が呼吸するように拡縮変形することで放散させ、衣服内湿度を適度に保つことができる。
【００２３】
かかる布団装置１において、上層部材４の、表地としてのニット地により、吸汗性、速乾性に優れ、皮膚に対する刺激が小さく、静電気の発生を抑制すると共に、帯電しにくいものとすることができ、詰物としてのウレタンフォーム材により、通気性を確保し、且つ反力の抑制によって血流阻害の低減を図ることができる。
また、中間部材３を、選択した固さの分割部材３ａ〜３ｆを使用することで、個人差によって体型や姿勢が異なることからくる違和感を最小にする、最適なクッション性をもたらすことができる。
さらには、通気性のよい表地８で覆った、合成樹脂製繊維を波形形状に成形して構成し、見掛け密度、圧縮硬さが所定のものを選定した適度な固さのベーシック部材２により、底着きしないことはもちろん、使用者が就寝中の寝返り等の動き、呼吸等による振動に対する反動の抑制、ずれ力の発生の抑制をもたらすことができる。
【００２４】
なお、前記上層部材４と、ベーシック部材２または中間部材３とを、適宜な係着手段によって係着するようにすれば、例えば布団装置１を市販の起伏式ベッドの床部に載置して、床部を変位調節しても、上層部材４が前記ベーシック部材２および中間部材３から離れてばらばらになるようなことはない。
その際、ベーシック部材２を、合成樹脂製繊維を波形形状に成形して構成したことにより、曲げ応力、せん段応力を吸収するので、前記ベーシック部材２は起伏式ベッドの床部の変位に追従し、ずれ力の発生を抑えることができる（図６参照）。
【００２５】
また、本発明にかかる布団装置１における上層部材４には、凹凸加工（プロファイル加工）を施すようにしても良い。
【００２６】
このような加工によって、上層部材４は、一層反力を抑えて使用者の血流阻害を低減し、効果的に通気性の促進をもたらすことができ、快適な布団装置１とすることができる。
【００２７】
さらに、図示は省略するが上述のように上層部材４内に前記ベーシック部材２および中間部材３を収容しなくても、上層部材４をベーシック部材２および中間部材３に被せた際、上層部材４下部側面は、ベーシック部材２上に中間部材３を配置する場合は、ベーシック部材２の底面の位置まで覆う設定とし、一方、中間部材３上にベーシック部材２を配置するような場合は、中間部材３の底面の位置まで覆う設定とすることができる。
かかる構成の場合、上層部材４とベーシック部材２または中間部材３とを、適宜な係着手段で、一体的に保持することができる。
【００２８】
このような構成においても、これら上層部材４、ベーシック部材２および中間部材３とが一体となって作用し、反動を抑制したり、人の新陳代謝により発生する熱と水分を放散させ、衣服内湿度を適度に保つものであり、さらには、中間部材３を、選択した固さの分割部材３ａ〜３ｆを使用することで、最適なクッション性をもたらすことができる。
【００２９】
【発明の効果】
本発明によれば、良質な眠りをもたらす要因である、
Ａ．人が乗ったときや、寝返りにより発生する反動を抑制可能であること、
Ｂ．人の新陳代謝により発生する熱と水分を、寝返り等の体動により、クッション材自体が呼吸するように拡縮変形することで放散させ、衣服内湿度を適度に保つものであること、
Ｃ．個人の体格差、趣味嗜好に合わせてクッション性を調整できるものであること、
Ｄ．起伏式ベッドの床部に乗せて床部の動きに追従できるマットレスとしても使用できること
等を具備する布団装置を提供することができる。
【００３０】
【図面の簡単な説明】
【図１】本発明にかかる布団装置の一例を示す、外観斜視図である。
【図２】図１に示す布団装置のＡ−Ａ線に沿って切断してみた切断矢視図である。
【図３】図１に示す布団装置における上層部材の斜視説明図である。
【図４】図１に示す布団装置の構成と、中間部材の取り付け構成を示す、分解斜視説明図である。
【図５】図４に示す中間部材を構成する分割部材の外観斜視図である。
【図６】本発明にかかる布団装置を起伏式ベッドの床部に載置して使用する状態を示した、側面説明図である。
【符号の説明】
１                            布団装置
２                            ベーシック部材
３                            中間部材
３ａ〜３ｆ                    分割部材
４                            上層部材
５                            裏当て部材
６                            ファスナ
７                            保持帯
８                            表地
９                            網状袋体
１０                          タグ
１１                          シーツ
１２                          係着手段
１３                          起伏式ベッド
１４                          床部
【図１】
2004242797.tif 000003
【図２】
2004242797.tif 000004
【図３】
2004242797.tif 000005
【図４】
2004242797.tif 000006
【図５】
2004242797.tif 000007
【図６】
2004242797.tif 000008